(57)【要約】【課題】集配信サーバーが管理している自動機固有情報の内容のうち、変更したい情報がキー情報であっても、自動機側から容易に変更可能なシステムを提供する。【解決手段】集配信サーバーは、自動機から自動機固有情報の登録指示を受けた場合に、自身が管理するデータベース中に、自動機固有情報に含まれる複数のキー情報のうちの少なくとも１つのキー情報の内容と重複する登録済みの自動機固有情報が存在するか否かをチェックし、データベース中に存在しなかった場合には、自動機から受信した自動機固有情報をデータベース中に追加処理し、重複する内容のキー情報を少なくとも１つ有する自動機固有情報がデータベース中に１つだけ存在する場合には、自動機から受信した自動機固有情報を、上書き処理する。【選択図】図４
2011095881.tif 000002
【特許請求の範囲】
【請求項１】
取引処理を行う複数の自動機と、前記自動機の各々と回線を介して接続され、前記複数の自動機の各々の自動機固有情報を収集して管理する集配信サーバーと、を備える集配信システムであって、
前記集配信サーバーは、
前記自動機から自動機固有情報の登録指示を受けた場合に、前記集配信サーバーが管理するデータベース中に、前記自動機から受信した自動機固有情報に含まれる複数のキー情報のうちの少なくとも１つのキー情報の内容と重複する登録済みの自動機固有情報が存在するか否かをチェックし、
重複する内容のキー情報を有する登録済の自動機固有情報が前記データベース中に存在しなかった場合には、前記自動機から受信した自動機固有情報を前記データベース中に追加処理し、
重複する内容のキー情報を少なくとも１つ有する登録済みの自動機固有情報が前記データベース中に１つだけ存在する場合には、前記自動機から受信した自動機固有情報を、前記データベース中に１つだけ存在する前記登録済みの自動機固有情報に対して上書き処理することにより、前記複数の自動機の自動機固有情報を管理する
ことを特徴とする集配信システム。
【請求項２】
請求項１記載の集配信システムであって、
前記集配信サーバーは、
重複する内容のキー情報を有する登録済みの自動機固有情報が前記データベース中に複数存在する場合には、前記自動機から受信した自動機固有情報について、追加処理および上書き処理のいずれも不可とすることにより、前記複数の自動機の自動機固有情報を管理する
ことを特徴とする集配信システム。
【請求項３】
請求項２記載の集配信システムであって、
前記集配信サーバーは、
重複する内容のキー情報を有する登録済みの自動機固有情報が前記データベース中に複数存在する場合には、前記自動機の自動機固有情報に含まれる前記複数のキー情報のうちの少なくとも１つのキー情報について、候補となる内容を作成して、前記自動機に通知し、
前記自動機は、
通知された前記候補となる内容をユーザーが選択することを許容するとともに、前記ユーザーが前記候補となる内容を選択した場合には、選択した候補となる内容に書き換えた自動機固有情報の登録指示を前記集配信サーバーに対して再度実行する
ことを特徴とする集配信システム。
【発明の詳細な説明】
【技術分野】
【０００１】
本発明は、金融機関等の店舗あるいは店舗外に設置される複数台の自動機と、これらの自動機とネットワークを介して接続され、自動機からの情報収集や自動機への情報配信を行なう集配信サーバーと、を備える集配信システムに関し、特に、集配信サーバーが自動機から自動機固有情報の登録指示を受けた際に、その追加処理あるいは更新処理を実行する集配信システムに関する。
【背景技術】
【０００２】
一般的なサーバーでは、ネットワークを介して接続される機器の各々の設定情報を管理する際、各々の設定情報を区別するためのキーとなる情報（キー情報）を、各々の設定情報に１つ持たせることにより、各々の設定情報をデータベース化して管理している（特許文献１参照）。
【０００３】
従来の集配信システムでも同様で、通常、各自動機に設定された「コンピューター名」をキー情報として管理している。そして、自動機から自動機固有情報の登録指示を受けた際、同じ内容のキー情報の有する自動機固有情報がデータベース中に存在しない場合は、要求のあった自動機固有情報の追加処理を実行する。一方、同じ内容のキー情報を有する自動機固有情報がデータベース中に存在する場合には、その自動機固有情報に対して更新（上書き）処理を実行している。
【先行技術文献】
【特許文献】
【０００４】
【特許文献１】特開平０５−０２８０６５号公報
【発明の概要】
【発明が解決しようとする課題】
【０００５】
従来の集配信システムにおいて、自動機の新設あるいは移設が発生した場合、集配信サーバーがデータベース化して管理している自動機固有情報を、追加あるいは変更する必要がある。従来の集配信システムにおける自動機固有情報の追加あるいは変更は、例えば、以下のように実行されていた。すなわち、自動機固有情報の追加あるいは変更の必要性が生じた場合、まず、その対象となる自動機は、集配信サーバーに対して自動機固有情報の登録指示を通知する。そして、通知を受けた集配信サーバーは、データベース化して管理している自動機自動機固有情報の追加処理あるいは更新処理を実行する。以上のように、従来の集配信システムでは、自動機固有情報の追加あるいは変更の必要性が生じた場合には、自動機からの登録指示に応じて、集配信サーバーで管理されているデータベースへの自動機固有情報の追加処理あるいは更新処理が実行されるシステムとなっている。
【０００６】
ここで、上記集配信サーバーは、各自動機の自動機固有情報を、例えば、「コンピューター名」のみをキー情報とするデータベースにより管理している。そして、登録指示を出した自動機の「コンピューター名」が、集配信サーバーが管理しているデータベース中に登録されている自動機固有情報のいずれかに既に存在している場合は更新（上書き）処理、存在していない場合は追加処理を実行している。このため、自動機側からは、「コンピューター名」を含む自動機固有情報を全体として集配信サーバーに対して登録指示をすることは可能である。しかしながら、自動機側からは、直接自身の自動機固有情報中に登録されているキー情報としての「コンピューター名」を変更することはできない。そして、このキー情報である「コンピューター名」を変更するためには、集配信サーバーと同じセンター側にある集配信端末にて自動機固有情報の変更作業を実行しなければならなかった。すなわち、自動機側から、直接自身の自動機固有情報中のキー情報としての「コンピューター名」の変更ができず、変更操作が非常に不便であった。
【０００７】
本発明の目的は、集配信サーバーが管理している自動機固有情報の内容のうち、変更したい情報がキー情報であっても、自動機側から容易に変更可能なシステムを提供することにある。
【課題を解決するための手段】
【０００８】
本発明は、上述の課題の少なくとも一部を解決するためになされたものであり、以下の形態又は適用例として実現することが可能である。
【０００９】
［適用例１］
取引処理を行う複数の自動機と、前記自動機の各々と回線を介して接続され、前記複数の自動機の各々の自動機固有情報を収集して管理する集配信サーバーと、を備える集配信システムであって、
前記集配信サーバーは、
前記自動機から自動機固有情報の登録指示を受けた場合に、前記集配信サーバーが管理するデータベース中に、前記自動機から受信した自動機固有情報に含まれる複数のキー情報のうちの少なくとも１つのキー情報の内容と重複する登録済みの自動機固有情報が存在するか否かをチェックし、
重複する内容のキー情報を有する登録済の自動機固有情報が前記データベース中に存在しなかった場合には、前記自動機から受信した自動機固有情報を前記データベース中に追加処理し、
重複する内容のキー情報を少なくとも１つ有する登録済みの自動機固有情報が前記データベース中に１つだけ存在する場合には、前記自動機から受信した自動機固有情報を、前記データベース中に１つだけ存在する前記登録済みの自動機固有情報に対して上書き処理することにより、前記複数の自動機の自動機固有情報を管理する
ことを特徴とする集配信システム。
上記構成の集配信システムによれば、重複する内容のキー情報を有する登録済の自動機固有情報が前記データベース中に存在しなかった場合には、自動機から受信した自動機固有情報をデータベース中に追加処理し、少なくとも１つの重複する内容のキー情報を有する１つの登録済みの自動機固有情報がデータベース中に存在する場合には、自動機の自動機固有情報を、データベース中の１つの登録済みの自動機固有情報に対して上書き処理することにより、複数の自動機の自動機固有情報を管理することができる。これにより、集配信サーバーが管理している自動機固有情報の内容のうち、変更したい情報がキー情報であっても、自動機側から容易に、そのキー情報の内容を変更可能とすることができる。従って、キー情報を含む全ての自動機固有情報を自動機側から変更できるようになり、センター側での自動機固有情報の追加／変更作業を一切無くすことができる。また、このようにすれば、集配信サーバー側への自動機固有情報の伝達ミスおよび自動機固有情報の入力ミスを防止することができ、自動機固有情報の誤登録を防ぐことができる。
【００１０】
［適用例２］
適用例１記載の集配信システムであって、
前記集配信サーバーは、
重複する内容のキー情報を有する登録済みの自動機固有情報が前記データベース中に複数存在する場合には、前記自動機から受信した自動機固有情報について、追加処理および上書き処理のいずれも不可とすることにより、前記複数の自動機の自動機固有情報を管理する
ことを特徴とする集配信システム。
この構成によれば、複数の自動機固有情報のキー情報が重複していた場合には、自動機の登録要求した自動機固有情報のキー情報に誤りがあると考えられ、データベースの変更を禁止することができる。
［適用例３］
適用例２記載の集配信システムであって、
前記集配信サーバーは、
重複する内容のキー情報を有する登録済みの自動機固有情報が前記データベース中に複数存在する場合には、前記自動機の自動機固有情報に含まれる前記複数のキー情報のうちの少なくとも１つのキー情報について、候補となる内容を作成して、前記自動機に通知し、
前記自動機は、
通知された前記候補となる内容をユーザーが選択することを許容するとともに、前記ユーザーが前記候補となる内容を選択した場合には、選択した候補となる内容に書き換えた自動機固有情報の登録指示を前記集配信サーバーに対して再度実行する
ことを特徴とする集配信システム。
上記構成によれば、誤りのあるキー情報を変更するための候補情報を自動機側に通知することが可能であり、自動機側では、ユーザーがその候補情報を選択して、再度自動機固有情報の登録を実行することが可能となる。これにより、自動機側での操作ミスを容易に修正することが可能となり、修正した自動機固有情報の追加処理あるいは更新処理を実行することができる。
【図面の簡単な説明】
【００１１】
【図１】本発明の第１実施例における集配信システムの構成を示す説明図である。
【図２】集配信システムを構成する集配信サーバー、集配信端末、および自動機の内部構成を示す説明図である。
【図３】集配信サーバーのデータベースで管理されている自動機固有情報の抜粋例である。
【図４】自動機からの登録指示に基づいて実行される自動機固有情報登録のフローチャートである。
【図５】キー情報に重複が無い場合の例を示す説明図である。
【図６】キー情報の重複が１つの自動機固有情報のみである場合の例を示す説明図である。
【図７】複数の自動機固有情報で重複が発生している場合の例を示す説明図である。
【図８】第２実施例において実行される自動機固有情報登録の一部を抜粋して示すフローチャートである。
【図９】通知された警告および候補コンピューター名や候補ＩＰアドレスを示す対応方法を示すユーザインタフェース画面である。
【発明を実施するための形態】
【００１２】
Ａ．第１実施例：
図１は、本発明の第１実施例における集配信システムの構成を示す説明図である。図２は、集配信システムを構成する集配信サーバー、集配信端末、および自動機の内部構成を示す説明図である。以下では、図１，２を用いて集配信システムの概略構成について説明する。
【００１３】
この集配信システムは、金融機関の店内や店外等に設置されている複数の自動機１０と、通常、金融機関のセンターに設置されている集配信サーバー１１および集配信端末１２と、を備えている。自動機１０、集配信サーバー１１、集配信端末１２は各々、ルーター１３を介してネットワーク１４に接続され、互いに通信が可能である。
【００１４】
自動機１０は、顧客の操作によって現金の入金や出金等の取引処理を行う自動取引装置であり、通信制御部２２２によりルーター１３およびネットワーク１４を通じて集配信サーバー１１の通信制御部２０２に接続されている。集配信サーバー１１は、自動機１０の自動機固有情報や自動機１０に対するファイル収集状況などをデータベース１５にて管理している。集配信端末１２は、センターにおいて、自動機１０の自動機固有情報の登録や自動機１０に対するファイル収集の指示を集配信サーバー１１へ出す装置であり、通信制御部２１２が集配信サーバー１１の通信制御部２０２に接続されている。
【００１５】
自動機１０は、操作部２２４、カード／明細票機構部２２３、通帳機構部２２６、紙幣入出金機構部２２５、硬貨入出金機構部２２７、音声案内ガイダンス部２２８、および、これら各部を制御する制御部２２１等で構成されている。制御部２２１は、図示しないＣＰＵ、メモリ等で構成されるコンピューターであり、プログラム、データ等のソフトウェアを実行することにより、各種処理や取引を制御する。
【００１６】
操作部２２４は画面表示、キー入力検知機能を有し、主に自動機１０の利用者が取引を行う際、取引操作の誘導画面を表示し、暗証番号など利用者の操作や指で押されたキー入力を受付ける部分である。なお、操作部２２４はタッチパネル等により構成された入力兼表示部（入力表示部ともいう）が望ましく、様々な情報を表示画面に表示し、この表示画面に含まれる色々な項目への押下を検知する。
【００１７】
カード／明成明細票機構部２２３は、利用者のカードの挿入又は排出動作、カードの磁気ストライプ又はＩＣチップへのリード又はライト動作、カードエンボス部分のイメージの読取り機能などを有する。また取引した内容を印字部により明細票に印字し、装置内から排出する機構部を有する。
【００１８】
通帳機構部２２６は利用者の通帳の挿入／排出動作、磁気ストライプのリード／ライト動作、通帳への印字部による印字機能などを有する。
【００１９】
紙幣入出金機構部２２５と硬貨入出金機構部２２７は、現金の入金や出金機能、現金の鑑別や搬送、収納機能を有する。
【００２０】
集配信サーバー１１は、自動機１０の通信制御部２２２と通信制御部２０２を介して接続され、自動機１０からの自動機固有情報の登録指示を処理する機能および自動機１０に対して取引情報データ等のファイルを収集する機能を有する。なお、上記機能は、主に、記憶部２０５とこれを制御する制御部２０１により実現される。制御部２０１は、図示しないＣＰＵ、メモリ等で構成されるコンピューターであり、プログラム、データ等のソフトウェアを実行することにより、各種処理を制御する。記憶部２０５は、自動機１０の自動機固有情報や自動機１０に対するファイル収集状況などをデータベース１５として管理して記憶する。
【００２１】
集配信端末１２は、画面操作により自動機固有情報などの登録指示やファイル収集指示を集配信サーバー１１へ出す機能を有する。この集配信端末１２は、表示部２１３、入力操作部２１４、通信制御部２１２、およびこれら各部を制御する制御部２１１等で構成されている。制御部２１１は、図示しないＣＰＵ、メモリ等で構成されるコンピューターであり、プログラム、データ等のソフトウェアを実行することにより、各種処理を制御する。表示部２１３は画面表示、入力操作部２１４は、マウス、キー入力検知機能を有しており、登録／収集作業を実行する者が、登録情報／収集実行状況を表示したりする操作等を受付ける部分である。
【００２２】
図３は、集配信サーバー１１のデータベース１５で管理されている自動機固有情報の抜粋例である。なお、図３（Ａ）は比較例であり、図３（Ｂ）が本実施例を示している。「名称欄」は、データベース１５で管理されている自動機固有情報の項目（一部記載）である。「キー情報欄」は、「名称欄」の各項目がキー情報であるか否かを示し、キー情報であれば“○”、キー情報でなければ“×”が記載されている。「サイズ欄」は、「名称欄」に記載の各項目がデータベースに格納される際の最大バイト数を示す。自動機１３が集配信サーバー１１に自動機固有情報の登録指示を発行する際には、その登録指示の中には、これらの自動機固有情報が含まれている。
【００２３】
図３（Ａ）の比較例における、キー情報は「コンピューター名」のみである。このため、集配信サーバー１１が自動機１０から自動機固有情報の登録しじを受けた際、登録指示に含まれている「コンピューター名」がデータベース１５中の自動機固有情報に存在していない場合は、登録指示に含まれている自動機固有情報は新規な自動機の情報であると判断され、データベース１５中に新たに自動機固有情報を追加する追加処理が実行されることになる。従って、自動機１０側から送られた自動機固有情報のうち、キー情報である「コンピューター名」の変更を行なうことはできなかった。そして、「コンピューター名」の変更を行なう場合には、センターにある集配信端末１２を操作して、データベース中の対応する自動機固有情報の「コンピューター名」を変更することが必要であった。
【００２４】
一方、図３（Ｂ）の実施例では、キー情報として「コンピューター名」と「ＩＰアドレス」の２つを採用することとしている。この場合、集配信サーバー１１が自動機１０から自動機固有情報の登録しじを受けた際、登録指示に含まれている「コンピューター名」と「ＩＰアドレス」の両方がいずれもデータベース１５中に存在していない場合には、追加処理を実行する。一方、少なくともどちらか一方のキー情報と同じ内容の自動機固有情報がデータベース１５中に１つ存在している場合には、自動機固有所湯方の更新(上書き)処理を実行する。さらにまた、一方のキー情報と同じ内容の自動機固有情報と他方のキー情報と同じ内容の自動機固有情報がデータベース１５中にそれぞれ存在する場合には、処理を実行しない。以上のようにすることにより、キー情報の変更を含む自動機固有情報の更新（上書き）処理が、自動機からの自動機固有情報の登録指示により実行することができる。
【００２５】
図４は、自動機からの登録指示に基づいて実行される自動機固有情報登録のフローチャートである。まず、自動機から自動機固有情報の登録要求を受信すると（ステップＳ４１０）、受信した自動機固有情報中のキー情報のいずれかにデータベースに登録済みの自動機固有情報と重複する内容があるか否か判断する（ステップＳ４２０）。ここで、キー情報（（本例では、「コンピューター名」および「ＩＰアドレス」）に重複が無い場合には、自動機からの指示に応じて受信した自動機固有情報の追加処理を実行する（ステップＳ４３０）。
【００２６】
図５は、キー情報に重複が無い場合の例を示す説明図である。図５（Ａ）は、自動機からの登録要求前にデータベースに登録されている情報の例であり、図５（Ｂ）は、登録要求のあった自動機固有情報を追加処理した例を示している。登録要求のあった自動機固有情報の「コンピューター名」は「Ｄ」で、「ＩＰアドレス」は「ＩＰ４」であるので、図５（Ａ）に示した登録済みの自動機固有情報Ｐ１〜Ｐ３のいずれとも重複しない。従って、図５（Ｂ）に示すように、登録要求のあった自動機固有情報の追加処理が実行される。
【００２７】
一方、キー情報に重複がある場合には、さらに、その重複が１つの自動機固有情報のみであるか否か判断する（図４のステップＳ４４０）。ここで、重複が１つの自動機固有情報のみである場合には、重複するキー情報を有する登録済みの自動機固有情報を、受信した自動機固有情報に基づいて更新（上書き）処理を実行する（ステップＳ４５０）。
【００２８】
図６はキー情報の重複が１つの自動機固有情報のみである場合の例を示す説明図である。図６（Ａ）は、図５（Ａ）と同じであり、図６（Ｂ）は、登録要求のあった自動機固有情報の更新（上書き）処理の例を示している。登録要求のあった自動機固有情報の「コンピューター名」は「Ｄ」であり、「ＩＰアドレス」は「ＩＰ１」であるので、登録済みの自動機固有情報Ｐ１と、「コンピューター名」は異なっているが、「ＩＰアドレス」が重複している。この場合、図６（Ｂ）に示すように、登録済みの自動機固有情報Ｐ１の「コンピューター名」を「Ａ」から「Ｄ」に書き換え、図示しない他の情報も、受信した自動機固有情報に応じて更新処理される。
【００２９】
次に、図４のステップＳ４３０の追加処理あるいはステップＳ４５０の更新処理が正常終了か否か判断し（ステップＳ４６０）、正常終了の場合には自動機へ＜正常終了＞を通知し(ステップＳ４７０)、異常終了の場合には自動機へ＜異常終了＞を通知して（ステップＳ４８０)、一連の処理を終了する。
【００３０】
一方、複数の自動機固有情報で重複が発生している場合、例えば、データベース中に「コンピューター名」が同じ自動機固有情報と、「ＩＰアドレス」が同じ自動機固有情報とが別々に存在する場合には、自動機へ＜異常終了＞を通知し（ステップＳ４９０）、一連の処理を終了する。これは、受信した自動機固有情報のキー情報に誤りがあると考えられるからである。
【００３１】
図７は、複数の自動機固有情報で重複が発生している場合の例を示す説明図である。図７に示すように、登録要求のあった自動機固有情報の「コンピューター名が「Ａ」で、「ＩＰアドレス」が「ＩＰ２」の場合、登録済みの自動機固有情報Ｐ１，Ｐ２の２つの情報にまたがって重複が発生してしまう。この場合、登録要求のあった自動機固有情報に誤りがあると推察される。そこで、この場合には、追加処理も更新処理も実行されず、登録処理エラーとなる。
【００３２】
なお、図３（Ａ）に示した比較例の場合に対応するフローチャートは、図４のフローチャートにおいて、ステップＳ４２０において重複がある場合には、ステップＳ４５０に進むフローとなり、ステップＳ４４０およびＳ４９０の処理が省略されるものである。
【００３３】
以上の説明からわかるように、比較例の場合には、１つのキー情報（例えば、「コンピューター名」）の重複が無かった場合には、受信した自動機固有情報の追加処理を実行し、１つのキー情報の重複があった場合には、自動機固有情報の更新処理を実行する。従って、自動機側からキー情報の変更を実行することは不可能であった。一方、本実施例の場合には、複数のキー情報(本例では、「コンピューター名」および「ＩＰアドレス」)を採用することにより、集配信端末を操作しなくても、上述したフローに従って、自動機側からキー情報の変更を行なうことが可能である。
【００３４】
なお、上記説明では、キー情報として「コンピューター名」および「ＩＰアドレス」の２つの情報を例として説明しているが、自動機ごとに異なる内容となる情報（ユニークな情報）であるならば、キー情報として利用可能である。例えば、店番、子店番、機番は個々では異なる情報とならないが、これらをセットにして扱うことにより自動機ごとに異なる情報とすることができるため、キー情報として利用することが可能である。
【００３５】
Ｂ．第２実施例：
第２実施例の集配信システムの構成は、基本的に第１実施例と同じであるので、以下では、異なる点についてのみ説明を加えることとする。図８は、第２実施例において実行される自動機固有情報登録の一部を抜粋して示すフローチャートである。図８は、第１実施例の図４で示したステップＳ４４０以降であって、複数の自動機固有情報で重複が発生している場合の部分を主に示している。
【００３６】
本実施例では、例えば、キー情報としての「コンピューター名」として、上述したように、店番、子店番、機番を単純に組み合わせたもののように、「コンピューター名」がユニークではあるが単純な規則に従って推察可能なものを利用するものとする。本例の以下の説明では、「コンピューター名」として、「店番―子店番―機番」を用いるものとする。また、ステップＳ４４０で複数の自動機固有情報で重複が発生していると判断された場合、すなわち、重複している「コンピューター名」の自動機固有情報と、重複している「ＩＰアドレス」の自動機固有情報とがあるとする。例えば、図５（Ａ）において、自動機固有情報Ｐ１（「コンピューター名」は「Ａ」）と、Ｐ２（「ＩＰアドレス」は「ＩＰ２」とが重複しているとものとする。
【００３７】
複数の自動機固有情報で重複が発生している場合、まず、重複キー情報は「コンピューター名」と仮定し、予め設定された候補選択記憶に従って、候補となる「コンピューター名」を求める（ステップＳ４４２）。例えば、上記したように、「店番―子店番―機番」でコンピューター名を構成しているとし、店番が「００１」で子店番が「０１」で機番が「０９」の組み合わせによるコンピューター名であったとする。また、店番と子店番は、自動機固有情報の他の情報として登録されており、正しいとする。そして、データベース１５内には、機番００〜０９までの自動機固有情報が既に登録済みであったとする。このとき、候補の「コンピューター名」として、機番が「１０」の「００１−０１−１０」を求めることができる。なお、候補選択規則としては、他の種々のものを利用可能である。例えば、データベース１５内に登録されているすべての自動機固有情報を、重複キー情報（例えば「コンピューター名」）でソートし、その最後の「コンピューター名」を１つ更新（インクリメント）するという規則を利用してもよい。
【００３８】
次に、重複キー情報は「ＩＰアドレス」と仮定し、候補となる「ＩＰアドレス」を求める（ステップＳ４４２）。例えば、重複「コンピューター名」は正しいとすると、情報Ｐ１の「ＩＰ１」を、候補となる「ＩＰアドレス」として求めることができる。なお、「コンピューター名」の場合と同様に、予め設定された候補選択規則に従って、候補となる「ＩＰアドレス」を求めるようにすることもできる。例えば、同じ店番を有する自動機固有情報のみを、重複キー情報（例えば「ＩＰアドレス」）でソートし、その最後の「ＩＰアドレス」を１つ更新（インクリメント）するという規則を利用してもよい。
【００３９】
そして、複数の自動機固有情報にまたがって重複が発生している旨の警告や、候補コンピューター名、候補ＩＰアドレスを自動機に通知する(ステップＳ４４５)。このとき、自動機１０では、通知された内容を表示する。
【００４０】
図９は、通知された警告および候補コンピューター名への変更や候補ＩＰアドレスへの変更を対応方法として示すユーザインタフェース画面である。自動機固有情報の登録要求を出した利用者が、対応方法１（ＩＰアドレス変更）、対応応報２(コンピューター名変更)、対応方法３（エラー終了）)の選択ボタンを押すことにより、選択した対応方法の処理を開始する（ステップＳ４４６）。対応方法１または２が選択された場合には、候補コンピューター名あるいは候補ＩＰアドレスでの自動機固有情報の更新処理を実行する（ステップＳ４４７）。そして、第１実施例と同様に、ステップＳ４６０〜Ｓ４７０の処理が実行され、一連の処理を終了する。一方、対応方法３が選択された場合には、自動機に対して＜異常終了＞を通知し（ステップＳ４９０）、一連の処理を終了する。
【００４１】
本実施例では、登録指示に含まれないキー情報と同一のキー情報を有する自動機固有情報がデータベース１５内に複数登録されている場合には、候補となるキー情報（変更後のキー情報の候補）を求めて、登録指示を行なった利用者に対して通知することができる、そして、通知を受けた利用者は候補キー情報を選択することにより、簡単に自動機固有情報の登録を実行し直すことができる。これにより、ユーザーの入力ミスにより、最初から自動機固有情報の入力を確認し直し、登録指示をし直す必要がなく、処理の容易化を図ることが可能である。
【００４２】
以上、本発明の実施の形態について説明したが、本発明はこのような実施の形態になんら限定されるものではなく、その要旨を逸脱しない範囲内において種々なる態様での実施が可能である。
【００４３】
例えば、上記実施例では、キー情報として２つの場合を例に説明しているが、これに限定されるものではなく、複数のキー情報を採用してもよい。
【符号の説明】
【００４４】
１０…自動機
１１…集配信サーバー
１２…集配信端末
１３…ルーター
１４…ネットワーク
１５…データベース
２０１…制御部
２０２…通信制御部
２０５…記憶部
２１１…制御部
２１２…通信制御部
２１３…表示部
２１４…入力操作部
２２１…制御部
２２２…通信制御部
２２３…カード／明細票機構部
２２４…操作部(入力兼表示部)
２２５…紙幣入出金機構部
２２６…通帳機構部
２２７…硬貨入出金機構部
２２８…音声案内ガイダンス部
【図１】
2011095881.tif 000003
【図２】
2011095881.tif 000004
【図３】
2011095881.tif 000005
【図４】
2011095881.tif 000006
【図５】
2011095881.tif 000007
【図６】
2011095881.tif 000008
【図７】
2011095881.tif 000009
【図８】
2011095881.tif 000010
【図９】
2011095881.tif 000011